(57)【要約】【課題】温度が正確に検知される定着装置および画像形成装置を提供する。【解決手段】定着装置において、回転する第１の回転体と、第１の回転体に並んで延びた、トナー像が形成された記録媒体を第１の回転体との間に挟んで第１の回転体とともに回転するとともに記録媒体を加熱することにより記録媒体にトナー像を定着させる第２の回転体と、周面が前記第２の回転体の外周面に接して周回移動する、該第２の回転体を加熱する加熱器と、第２の回転体の外周面に対向して、外周面とは非接触に配備された、外周面の温度を検知する温度検知器と、加熱器の周囲のうち温度検知器から透視したときに加熱器に隠れず視える表側でこの加熱器の周面を拭く清掃器とを備えたことを特徴とする。【選択図】        図２
2011209416.tif 000002
【特許請求の範囲】
【請求項１】
回転中心に沿って延びた、該回転中心の回りを回転する第１の回転体と、
前記第１の回転体に並んで延びた、トナー像が形成された記録媒体を該第１の回転体との間に挟んで該第１の回転体とともに回転するとともに該記録媒体を加熱することにより該記録媒体に該トナー像を定着させる第２の回転体と、
周面が前記第２の回転体の外周面に接して周回移動する、該第２の回転体を加熱する加熱器と、
前記第２の回転体の外周面に対向して、該外周面とは非接触に配備された、該外周面の温度を検知する温度検知器と、
前記加熱器の周囲のうち前記温度検知器から透視したときに該加熱器に隠れず視える表側で該加熱器の周面を拭く清掃器とを備えたことを特徴とする定着装置。
【請求項２】
前記加熱器が、回転中心の回りを回転することで周面が周回移動する回転体であって、
前記温度検知器が、前記加熱器が前記第２の回転体に接する接触位置と該加熱器の回転中心とを通る直線よりも、該加熱器の周面の該接触位置での移動における下流側の領域に配備されたものであることを特徴とする請求項１記載の定着装置。
【請求項３】
前記加熱器が、前記第２の回転体の回転中心の真上を避けた第１の位置で該第２の回転体の外周面に接したものであり、
前記温度検知器が、前記第２の回転体の回転中心の真上を前記第１の位置との間に挟んだ第２の位置で該第２の回転体の外周面に対向したものであることを特徴とする請求項１または２記載の定着装置。
【請求項４】
前記清掃器は、当該定着装置に対して取り外し自在に配置されたものであり、
前記第２の回転体と、前記加熱器と、前記温度検知器とを内包した筐体であって、前記清掃器が挿入される挿入口が設けられた筐体と、
前記挿入口の縁に回転軸を有する、前記清掃器が当該定着装置から取り外された場合には該挿入口を塞ぎ、該清掃器が該挿入口から挿入された場合には、前記加熱器と前記温度検知器との相互間に位置する板部材とを備えたことを特徴とする請求項１から３のうちいずれか１項記載の定着装置。
【請求項５】
前記加熱器と前記温度検知器との間で前記第２の回転体の外周面に接触した、該外周面を研磨する研磨部材を備えたことを特徴とする請求項１から４のうちいずれか１項記載の定着装置。
【請求項６】
記録媒体にトナー像を形成するトナー像形成部と、
回転中心に沿って延びた、該回転中心の回りを回転する第１の回転体と、
前記第１の回転体に並んで延びた、前記トナー像形成部によってトナー像が形成された記録媒体を該第１の回転体との間に挟んで該第１の回転体とともに回転するとともに該記録媒体を加熱することにより該記録媒体に該トナー像を定着させる第２の回転体と、
周面が前記第２の回転体の外周面に接して周回移動する、該第２の回転体を加熱する加熱器と、
前記第２の回転体の外周面に対向して、該外周面とは非接触に配備された、該外周面の温度を検知する温度検知器と、
前記加熱器の周囲のうち前記温度検知器から透視したときに該加熱器に隠れず視える表側で該加熱器の周面を拭く清掃器とを備えたことを特徴とする画像形成装置。
【発明の詳細な説明】
【技術分野】
【０００１】
本発明は、定着装置および画像形成装置に関する。
【背景技術】
【０００２】
画像形成装置に備えられ、記録媒体上のトナーを定着させる定着装置には、定着ローラと加圧ローラとを備え、さらに、定着ローラの外からその周面に接するように設けられた、周面を加熱する外部加熱手段を備えた定着装置が知られている（例えば、特許文献１参照。）。
【先行技術文献】
【特許文献】
【０００３】
【特許文献１】特開２００８−１３９３３３号公報
【発明の概要】
【発明が解決しようとする課題】
【０００４】
本発明は、加熱器からの放射熱に起因する温度検知の誤差が抑制された定着装置および画像形成装置を提供することを目的とするものである。
【課題を解決するための手段】
【０００５】
請求項１に係る定着装置は、
回転中心に沿って延びた、この回転中心の回りを回転する第１の回転体と、
上記第１の回転体に並んで延びた、トナー像が形成された記録媒体をこの第１の回転体との間に挟んでこの第１の回転体とともに回転するとともにこの記録媒体を加熱することによりこの記録媒体にこのトナー像を定着させる第２の回転体と、
周面が上記第２の回転体の外周面に接して周回移動する、この第２の回転体を加熱する加熱器と、
上記第２の回転体の外周面に対向して、この外周面とは非接触に配備された、この外周面の温度を検知する温度検知器と、
上記加熱器の周囲のうち上記温度検知器から透視したときにこの加熱器に隠れず視える表側でこの加熱器の周面を拭く清掃器とを備えたことを特徴とする。
【０００６】
請求項２に係る定着装置は、
上記加熱器が、回転中心の回りを回転することで周面が周回移動する回転体であって、
上記温度検知器が、上記加熱器が上記第２の回転体に接する接触位置とこの加熱器の回転中心とを通る直線よりも、この加熱器の周面のこの接触位置での移動における下流側の領域に配備されたものであることを特徴とする。
【０００７】
請求項３に係る定着装置は、
上記加熱器が、上記第２の回転体の回転中心の真上を避けた第１の位置でこの第２の回転体の外周面に接したものであり、
上記温度検知器が、上記第２の回転体の回転中心の真上を上記第１の位置との間に挟んだ第２の位置でこの第２の回転体の外周面に対向したものであることを特徴とする。
【０００８】
請求項４に係る定着装置は、
上記清掃器は、当該定着装置に対して取り外し自在に配置されたものであり、
上記第２の回転体と、上記加熱器と、上記温度検知器とを内包した筐体であって、上記清掃器が挿入される挿入口が設けられた筐体と、
上記挿入口の縁に回転軸を有する、上記清掃器が当該定着装置から取り外された場合にはこの挿入口を塞ぎ、この清掃器がこの挿入口から挿入された場合には、上記加熱器と上記温度検知器との相互間に位置する板部材とを備えたことを特徴とする。
【０００９】
請求項５に係る定着装置は、上記加熱器と上記温度検知器との間で上記第２の回転体の外周面に接触した、この外周面を研磨する研磨部材を備えたことを特徴とする。
【００１０】
請求項６に係る画像形成装置は、
記録媒体にトナー像を形成するトナー像形成部と、
回転中心に沿って延びた、この回転中心の回りを回転する第１の回転体と、
上記第１の回転体に並んで延びた、上記トナー像形成部によってトナー像が形成された記録媒体をこの第１の回転体との間に挟んでこの第１の回転体とともに回転するとともにこの記録媒体を加熱することによりこの記録媒体にこのトナー像を定着させる第２の回転体と、
周面が上記第２の回転体の外周面に接して周回移動する、この第２の回転体を加熱する加熱器と、
上記第２の回転体の外周面に対向して、この外周面とは非接触に配備された、この外周面の温度を検知する温度検知器と、
上記加熱器の周囲のうち上記温度検知器から透視したときにこの加熱器に隠れず視える表側でこの加熱器の周面を拭く清掃器とを備えたことを特徴とする。
【発明の効果】
【００１１】
請求項１に係る定着装置によれば、加熱器からの放射熱に起因する温度検知の誤差が抑制される。
【００１２】
請求項２に係る定着装置によれば、請求項１に係る定着装置に比べ、加熱器からの放射熱に起因する温度検知の誤差がより一層抑制される。
【００１３】
請求項３に係る定着装置によれば、加熱器からの対流熱に起因する温度検知の誤差が抑制される。
【００１４】
請求項４に係る定着装置によれば、対流熱と輻射熱とのそれぞれに起因する温度検知の誤差が抑制される。
【００１５】
請求項５に係る定着装置によれば、請求項１に係る定着装置に比べ、加熱器からの放射熱に起因する温度検知の誤差がより一層抑制される。
【００１６】
請求項６に係る画像形成装置は、加熱器からの放射熱に起因する温度検知の誤差が抑制される。
【図面の簡単な説明】
【００１７】
【図１】本発明の画像形成装置の第１実施形態である複写機の概略構成を示す図である。
【図２】図１に示す定着器の内部構成を示す縦断面図である。
【図３】定着器が有する加熱ロール、加圧ロール、外部加熱ロール、および温度検知器の配置を示す図である。
【図４】清掃器が取り付けられた状態の定着器を示す斜視図である。
【図５】清掃器を取り外し中の状態の定着器を示す斜視図である。
【図６】清掃器が取り外された状態の定着器を示す斜視図である。
【図７】本発明の第２実施形態に係る定着器の内部構成を示す縦断面図である。
【発明を実施するための形態】
【００１８】
以下図面を参照して本発明の実施の形態を説明する。
【００１９】
図１は、本発明の画像形成装置の第１実施形態である複写機の概略構成を示す図である。
【００２０】
図１に示す複写機１は、原稿から画像を読み取る画像読取部１０と、用紙にトナー像を形成するトナー像形成部２０と、用紙を搬送する用紙搬送部３０と、用紙上のトナーを定着する定着器４０と、複写機１の各部を制御する制御部１Ａとを備えている。また、複写機１には、用紙を収容する用紙収容部５０Ａ，５０Ｂ，５０Ｃ、および、画像の形成に用いる６色のトナーを収容するトナー収容器６０Ａ，６０Ｂ，６０Ｃ，６０Ｄ，６０Ｅ，６０Ｆも備えられている。用紙搬送部３０は、用紙収容部５０Ａ，５０Ｂ，５０Ｃから用紙を取り出し、トナー像形成部２０を経由する搬送経路Ｒ１を搬送する。画像読取部１０は原稿から画像を読み取って画像データを生成する。トナー像形成部２０は、画像読取部１０によって生成された画像データに基づいて、用紙搬送部３０によって搬送されてきた用紙に画像を形成する。
【００２１】
トナー像形成部２０は、表面に静電潜像やトナー像が形成される、図の矢印Ａ方向に回転する感光体ドラム２１と、感光体ドラム２１を帯電させる帯電器２２と、画像データが入力されてその画像データに基づいて変調された露光光を感光体ドラム２１上に照射して静電潜像を形成する露光部２３と、静電潜像にトナーを付与してトナー像を形成する現像ユニット２４と、感光体ドラム２１に接触するとともに図の矢印Ｂ方向に循環移動する中間転写ベルト２５と、感光体ドラム２１上に形成されたトナー像を中間転写ベルト２５に１次転写する１次転写ロール２６と、１次転写後の感光体ドラム２１上をクリーニングする感光体クリーナ２７と、中間転写ベルト２５上に１次転写されたトナー像を、用紙収容部５０Ａ，５０Ｂ，５０Ｃから、用紙搬送部３０から用紙搬送部３０によって搬送されてくる用紙に２次転写する２次転写器２８とが備えられている。定着器４０は、用紙に転写されたトナー像を加熱および加圧することにより用紙上に定着させる。また、複写機１には、トナー像が定着した用紙の反りを矯正する反り矯正装置７０、および画像が形成された用紙が積まれる積載トレイ８０も備えられている。
【００２２】
現像ユニット２４には、ＣＭＹＫ４色に２色の特色を加えた６色それぞれに対応した６台の現像器２４Ａ，２４Ｂ，２４Ｃ，２４Ｄ，２４Ｅ，２４Ｆが組み込まれており、各現像器２４Ａ〜２４Ｆには、各色のトナーとキャリアからなる２成分現像剤が収容されている。現像ユニット２４が６０度ずつ順次に回転することによってＣＭＹＫおよび特色それぞれのトナーによる現像が行われ、各色のトナー像が形成される。その各色のトナー像は、１次転写ロール２６によって中間転写ベルト２５に転写される際に互いに重ね合わされてフルカラーのトナー像が形成され、そのフルカラーのトナー像が２次転写器２８によって用紙に転写される。６台の現像器２４Ａ〜２４Ｆには、トナー収容器６０Ａ〜６０Ｆから各色のトナーが供給される。
【００２３】
用紙搬送部３０は、用紙を搬送経路Ｒ１および表裏反転経路Ｒ２に沿って搬送する。用紙搬送部３０は、用紙収容器５０Ａ，５０Ｂ，５０Ｃから用紙を取り出す取出ロール３１Ａ，３１Ｂ，３１Ｃと、用紙を捌く捌きロール３２Ａ，３２Ｂ，３２Ｃと、用紙を搬送する搬送ロール３３と、二次転写器２８がトナー像を転写するタイミングに合わせて二次転写器２８に用紙を送り込むレジストレーションロール３５と、用紙を吸着させながら二次転写器２８から定着器４０まで搬送するベルト搬送器３６と、用紙を複写機１の外に排出する排出ロール３７Ａ，３７Ｂと、用紙の搬送の向きを切り換えて搬送する切換搬送ロール３８と、用紙を両面印刷のため表裏反転経路Ｒ２に沿って搬送する両面搬送ロール３９とを備えている。
【００２４】
用紙収容器５０Ａ〜５０Ｃに収容された用紙は、取出ロール３１Ａ〜３１Ｃによって取り出され、捌きロール３２Ａ〜３２Ｃによって捌かれ、搬送ロール３３によって、搬送経路Ｒ１を図の矢印Ｃ方向に搬送される。この後、用紙は、レジストレーションロール３５によって二次転写器２８に送り込まれ、トナー像が転写される。この用紙は、ベルト搬送器３６によって定着器４０に搬送され、トナーが用紙上に定着される。この後、用紙は、反り矯正装置７０によって反りが矯正され、排出ロール３７Ａ，３７Ｂによって排出され、積載トレイ８０に積載される。
【００２５】
複写機１で両面印刷が実行される場合、用紙搬送部３０は、搬送経路Ｒ１から分岐して搬送経路Ｒ１に戻る表裏反転経路Ｒ２に沿って用紙を搬送し、表裏反転経路Ｒ２の途中で用紙の進行を折返しさせることによって表裏面を反転させる。より詳細には、反り矯正装置７０を経由した用紙は、切換搬送ロール３８によって搬送される途中で、切換搬送ロール３８の搬送方向切換わりによって逆向きに搬送され、続いて、両面搬送ロール３９により、表裏反転経路Ｒ２に沿って図の矢印Ｄ方向に搬送される。表裏反転経路Ｒ２を搬送された用紙は、搬送経路Ｒ１に戻り、搬送ロール３３、レジストレーションロール３５を再び経て、二次転写器２８で裏面すなわちトナー像が未転写の面にトナー像が転写される。制御部１Ａは、複写機１の各部の動作を制御する。
【００２６】
図２は、図１に示す定着器の内部構成を示す縦断面図である。また、図３は、定着器が有する加熱ロール、加圧ロール、外部加熱ロール、および温度検知器の配置を示す図である。
【００２７】
図２および図３に示す定着器４０は、加熱ロール４１と、加圧ロール４２と、外部加熱ロール４６とを備えている。加熱ロール４１、加圧ロール４２および外部加熱ロール４６のそれぞれは、互いに並んで回転中心４１ａ，４２ａ，４６ａに沿って延びた円筒状の回転体である。加熱ロール４１は加圧ロール４２の上に配置されており、加熱ロール４１および加圧ロール４２は、互いに周面が接している。加圧ロール４２は加熱ロール４１に押し付けられており、加熱ロール４１と加圧ロール４２との間には用紙を挟み込む挟み込み領域Ｎが形成されている。加熱ロール４１および加圧ロール４２は、図示しないゴム製の弾性層を有しており、弾性層が押付力で弾性変形し挟み込み領域Ｎに用紙を挟み込む面が形成される。加熱ロール４１および加圧ロール４２は、円筒状の内部に熱源としてハロゲンランプ４１２，４２２がそれぞれ配備されている。
【００２８】
加熱ロール４１には、不図示の駆動モータから駆動力が伝達され、回転中心４１ａの回りを矢印Ｒｍ方向に回転する。加圧ロール４２は、接触する加熱ロール４１の回転を受けて回転中心４２ａの回りを矢印Ｒｓ方向に回転する。定着器４０に送り込まれてきた用紙は、挟み込み領域Ｎで加熱ロール４１および加圧ロール４２に挟まれて搬送される。このとき用紙上のトナー像は、加熱ロール４１に接して加熱されるとともに、加圧ロール４２が加熱ロール４１に押し付けられる押付力による圧力が加えられ、用紙上に定着する。
【００２９】
外部加熱ロール４６は、加熱ロール４１の周面に接して、加熱ロール４１を外側から加熱する。外部加熱ロール４６は、押し付け調整部４６２によって、加熱ロール４１に押し付けられており、回転中心４６ａの回りを矢印Ｒｅ方向に回転する。外部加熱ロール４６も加熱ロール４１と同様に、内部に熱源としてハロゲンランプ４６１が配備されている。
【００３０】
用紙が加熱ロール４１および加圧ロール４２の間を通過すると、用紙に熱が奪われ、加熱ロール４１の周面の温度が低下する。加熱ロール４１内にはハロゲンランプ４１２が配備されているが、ハロゲンランプ４１２からの熱はゴム製の弾性層を伝わって周面に達することとなる。加熱ロール４１の周面に外部加熱ロール４６から熱が供給されることによって、加熱ロール４１の周面の温度が速やかに回復する。
【００３１】
定着器４０には、加熱ロール４１の周面の温度を検知する加熱ロール温度センサ４４１、および加圧ロール４２の周面の温度を検知する加圧ロール温度センサ４４２が備えられている。加熱ロール温度センサ４４１および加圧ロール温度センサ４４２は、非接触式の赤外線温度センサであり、それぞれの検知部４４１ａ，４４２ａに対象物から入射する赤外線によって温度を検知する。加熱ロール温度センサ４４１は、加熱ロール４１の周面に対向して配置されており、加圧ロール温度センサ４４２は、加圧ロール４２の周面に対向して配置されている。加熱ロール温度センサ４４１は検知部４４１ａを加熱ロール４１の周面に向けており、加圧ロール温度センサ４４２は検知部４４２ａを加圧ロール４２の周面に向けている。
【００３２】
加熱ロール温度センサ４４１は、加熱ロール４１の周面の温度を非接触で検知し、検知結果を電気信号として制御部１Ａ（図１参照）に供給する。制御部１Ａは、読み取った電気信号の値に基づいて、加熱ロール４１のハロゲンランプ４１２に供給する電力量を調整し、加熱ロール４１の周面の温度を、定着器４０に定着能力を最適にするための予め設定された温度に制御する。加圧ロール４２についても同様の制御が行われる。また、外部加熱ロール４６の温度は、図示しない接触式の温度センサの検知結果に基づいて制御される。
【００３３】
加熱ロール４１の周面上の一点に着目すると、その一点は、加熱ロール４１の回転に伴い、外部加熱ロール４６と接する接触位置Ｍを通過した後、加熱ロール温度センサ４４１の前を通り、その後、加圧ロール４２および用紙に接する。加熱ロール４１、加圧ロール４２、外部加熱ロール４６および温度センサ４４１，４４２は、定着器４０の筐体４５に内包されている。また、定着器４０には、用紙を挟み込み領域Ｎに案内する案内部材４８１，４８２も設けられている。加熱ロール温度センサ４４１は、案内部材４８１，４８２のうち、上側に配置された案内部材４８１の直上に配置されている。加熱ロール温度センサ４４１と他の部材の位置関係については後に説明する。
【００３４】
ここで、加圧ロール４２が本発明にいう第１の回転体の一例に相当し、加熱ロール４１が本発明にいう第２の回転体の一例に相当する。また、外部加熱ロール４６が本発明にいう加熱器の一例に相当する。また、加熱ロール温度センサ４４１が本発明にいう温度検知器の一例に相当する。
【００３５】
定着器４０には、外部加熱ロール４６の周面を拭いて清掃する清掃器４７が備えられている。清掃器４７は、定着器４０に対して取り外し自在に配置されており、ウェブ４７１と、送出ロール４７４と、押当てロール４７３と、巻取りロール４７２とを備えている。ウェブ４７１は、例えば不織布といった繊維からなる長尺の帯であり、送出ロール４７４に巻き付けられている。送出ロール４７４から引き出されたウェブ４７１は、押当てロール４７３に架け渡され、さらに、巻取りロール４７２に巻き取られる。押当てロール４７３は、ウェブ４７１を外部加熱ロール４６の周面に押し当てる。巻取りロール４７２が図示しないモータによって回転駆動されることで、ウェブ４７１は、送出ロール４７４から引き出され、押当てロール４７３によって外部加熱ロール４６に押し当てられて外部加熱ロール４６の周面を拭き、巻取りロール４７２に巻き取られる。加熱ロール４１に付着し、外部加熱ロール４６に引き付けられたトナーは、ウェブ４７１に拭かれて清掃される。ウェブ４７１が送出ロール４７４から全て引き出されると、ウェブ４７１は使用済みとされ、操作者によって清掃器４７ごと交換される。
【００３６】
図４、図５、および図６は、図２に示す定着器の清掃器の取り外しを説明する斜視図である。図４には、清掃器４７が取り付けられた状態の定着器４０が示されており、図５には、清掃器４７の取り外し中の状態が示されており、図６には、清掃器４７が取り外された状態が示されている。
【００３７】
使用済みとなった清掃器４７は、図４、図５、および図６に示す順に、筐体４５に設けられた挿入口４５ａから定着器４０の外に取り外され、また、未使用の新しい清掃器４７は図６、図５、および図４に示す順に挿入口４５ａから挿入される。
【００３８】
図６に示すように、筐体４５には、清掃器４７が定着器４０から取り外された場合に挿入口４５ａを塞ぐ一対の板状の扉部材４５１，４５２が設けられている。扉部材４５１，４５２のそれぞれは、特に図２に示すように、挿入口４５ａの縁に回転軸４５１ａ，４５２ａを有し、回転軸４５１ａ，４５２ａを中心として回転自在に、筐体４５に支持されている。また、扉部材４５１，４５２は、図示しないばねによって、挿入口４５ａを塞ぐ向きの力が付与されている。したがって、扉部材４５１，４５２は、図６に示すように、清掃器４７が取り外された状態では挿入口４５ａを塞いで不要物の進入を防ぎ、図５に示すように、清掃器４７が挿入されると、清掃器４７によって、筐体４５の奥へと押し込まれる。
【００３９】
図２には、清掃器４７が完全に挿入された状態が示されている。清掃器４７が挿入されると、扉部材４５１，４５２のうちの一方の扉部材４５１は、外部加熱ロール４６および加熱ロール温度センサ４４１の相互間に移動する。
【００４０】
扉部材４５１，４５２のうちの一方の扉部材４５１が、本発明にいう板部材の一例に相当する。
【００４１】
加熱ロール４１の周面の温度は、加熱ロール温度センサ４４１が検知する温度に基づいて制御されるため、温度制御の精度は、加熱ロール温度センサ４４１が温度を検知する精度に依存する。非接触式の温度センサは、対象物以外の周囲から受ける放射熱や対流熱によって検知結果の誤差が増大するおそれがある。特に、装置の小型化のため、加熱ロール温度センサ４４１および外部加熱ロール４６を含む各部材が互いに近接して配置されている構造では、温度の検知対象となる外部加熱ロール４６以外の熱源、特に、外部加熱ロール４６から生じる放射熱や対流熱を加熱ロール温度センサ４４１が受けると、検知結果の誤差が増大し、温度の制御が不正確となる場合がある。
【００４２】
ここで図２を参照して、本実施形態の定着器４０における、加熱ロール温度センサ４４１およびその周辺各部の配置について説明する。
【００４３】
図２の外部加熱ロール４６を通る直線Ｐ０は、外部加熱ロール４６の、加熱ロール温度センサ４４１に対する表側Ｔ１と裏側Ｔ２の境を示す線である。加熱ロール温度センサ４４１から外部加熱ロール４６を透視した場合、外部加熱ロール４６の周囲のうち、直線Ｐ０よりも加熱ロール温度センサ４４１側の表側Ｔ１は、外部加熱ロール４６に隠れず視え、直線Ｐ０を挟んで表側Ｔ１の反対側である裏側Ｔ２は、外部加熱ロール４６に隠れる。清掃器４７は、外部加熱ロール４６の表側Ｔ１で外部加熱ロール４６の周面を拭く位置に配置されている。清掃器４７の押当てロール４７３と押当てロール４７３に掛け渡されたウェブ４７１とが、外部加熱ロール４６を加熱ロール温度センサ４４１との間を遮っている。
【００４４】
また、一対の板状の扉部材４５１，４５２のうちの一方の扉部材４５１は、清掃器４７が定着器４０に取り付けられた状態で、外部加熱ロール４６および加熱ロール温度センサ４４１の相互間に位置する。
【００４５】
このため、外部加熱ロール４６から生じ加熱ロール温度センサ４４１に向かってくる放射熱が、清掃器４７のウェブ４７１によって遮られ、さらに、扉部材４５１によって遮られる。したがって、外部加熱ロール４６からの放射熱に起因する、加熱ロール温度センサ４４１の温度検知の誤差が抑制される。
【００４６】
また図２には、外部加熱ロール４６について、この外部加熱ロール４６が加熱ロール４１に接する接触位置Ｍと外部加熱ロール４６の回転中心４６ａとを通る直線Ｐ２が示されている。ここで、加熱ロール温度センサ４４１は、直線Ｐ２よりも、外部加熱ロール４６の周面の接触位置Ｍでの移動における下流側の領域Ｓに配置されている。
【００４７】
外部加熱ロール４６は、周面から放射熱を発しているが、加熱ロール４１と接する接触位置Ｍでは熱が加熱ロール４１に奪われる。このため、外部加熱ロール４６は、領域Ｓでは、直線Ｐ２を挟んだ反対側の領域よりも温度が低く、放射熱の量も少ない。したがって、領域Ｓに配置された加熱ロール温度センサ４４１は、外部加熱ロール４６から受ける放射熱の量がさらに抑制されている。
【００４８】
また、図２には、加熱ロール４１の回転中心４１ａから真上に延びる鉛直線Ｐ１が示されている。外部加熱ロール４６および加熱ロール温度センサ４４１は、回転中心４１ａの真上を避けた位置、すなわち鉛直線Ｐ１を避けた位置で加熱ロール４１と接している。外部加熱ロール４６は、回転中心４１ａの真上よりも、加熱ロール４１の周面の移動における上流側の位置で加熱ロール４１と接している。また、加熱ロール温度センサ４４１は、回転中心４１ａの真上よりも、加熱ロール４１の周面の移動における下流側の位置で加熱ロール４１の周面に対向している。
【００４９】
外部加熱ロール４６は、外部加熱ロール４６自体の近傍にある空気を暖めるため、外部加熱ロール４６による熱の対流が生じる。この対流による空気は、外部加熱ロール４６の近傍から上昇する向きに移動する。加熱ロール温度センサ４４１および外部加熱ロール４６は、鉛直線Ｐ１を挟んだ両側に配置されている。このため、対流による熱が、外部加熱ロール４６における回転中心４１ａの真上を越えて加熱ロール温度センサ４４１に達する事態が回避される。
【００５０】
また、対流熱は、外部加熱ロール４６および加熱ロール温度センサ４４１の相互間に配置された扉部材４５１によっても、加熱ロール温度センサ４４１へ流れることが遮られる。このため、加熱ロール温度センサ４４１における、加熱ロール４１からの対流熱に起因する温度検知の誤差が抑制される。
【００５１】
次に、本発明の第２実施形態について説明する。以下の第２実施形態の説明にあたっては、これまで説明してきた実施形態における各要素と同一の要素には同一の符号を付けて示し、前述の実施形態との相違点について説明する。
【００５２】
図７は、本発明の第２実施形態に係る定着器の内部構成を示す縦断面図である。
【００５３】
第２実施形態に係る定着器４０Ａは、内部に加熱ロール４１の周面に接するリフレッシュロール４９が設けられた点が第１実施形態と異なる。
【００５４】
リフレッシュロール４９は、加熱ロール４１に沿って延びた、金属製の棒状部材である。リフレッシュロール４９は、加熱ロール４１に接触する位置と非接触となる位置との間で移動自在に配置されており、制御部１Ａの制御を受けた図示しない当接機構によって、周期的に接触する位置に動かされる。図２に示すように、リフレッシュロール４９が加熱ロール４１に接触すると、加熱ロール４１の周面を研磨するため、加熱ロール４１の周面に生じた傷が隠れ、周面が滑らかになる。したがって、加熱ロール４１の傷に起因する画像の乱れが低減される。リフレッシュロール４９が本発明にいう研磨部材の一例に相当する。
【００５５】
第２実施形態に係る定着器４０Ａでは、リフレッシュロール４９が、外部加熱ロール４６と加熱ロール温度センサ４４１の間で加熱ロール４１の周面に接触する。このため、外部加熱ロール４６からの放射熱がリフレッシュロール４９によって遮られる。したがって、加熱ロール温度センサ４４１での、外部加熱ロール４６からの放射熱に起因する温度検知の誤差が抑制される。
【００５６】
なお、上述した実施形態では、本発明にいう加熱器の例として、外部加熱ロールを示したが、本発明にいう加熱器はこれに限られるものではなく、例えば、ベルト状であってもよい。
【００５７】
また、上述した実施形態では、画像形成装置の例としてカラー複写機を示したが、本発明にいう画像形成装置はこれに限られず、例えば、モノクロ複写機やプリンタ、ファクシミリであってもよい。
【００５８】
また、上述した実施形態では、記録媒体の例として、紙製の用紙について説明したが、本発明にいう記録媒体はこれに限られず、例えば、樹脂製のシートであってもよい。
【符号の説明】
【００５９】
１    複写機
２０    トナー像形成部
４０，４０Ａ    定着器
４１    加熱ロール
４１ａ，４２ａ，４６ａ    回転中心
４２    加圧ロール
４５    筐体
４６    外部加熱ロール
４７    清掃器
４９    リフレッシュロール
４４１    加熱ロール温度センサ
４５１，４５２    扉部材
【図１】
2011209416.tif 000003
【図２】
2011209416.tif 000004
【図３】
2011209416.tif 000005
【図４】
2011209416.tif 000006
【図５】
2011209416.tif 000007
【図６】
2011209416.tif 000008
【図７】
2011209416.tif 000009